(57)【要約】【課題】本発明の課題は、複数のネットワークインターフェースに対してプラグ＆プレイを実現できるネットワーク機器管理システムを提供することである。【解決手段】上記課題は、ネットワーク上にネットワーク機器設定制御装置を備え、ネットワーク機器は固有アドレスを前記ネットワーク機器設定制御装置へ通知する固有アドレス通知手段を備え、前記ネットワーク機器設定制御装置は、前記固有アドレスに対する回線設定情報がアドレス対応テーブルにあるか否かを検索する検索手段と、前記アドレス対応テーブルに前記固有アドレスがない場合に、前記ネットワーク機器との間の回線設定に必要となるコンフィギュレーション設定情報を前記ネットワーク機器に転送するオートコンフィギュレーション設定手段とを備えるネットワーク機器管理システムにて解決される。【選択図】  図１
2004260445.tif 000002
【特許請求の範囲】
【請求項１】
ネットワークに接続されるネットワーク機器の通信開始に必要な条件を設定するネットワーク機器管理システムにおいて、
前記ネットワーク上に前記ネットワーク機器に対する回線設定を行なう回線設定手段を有するネットワーク機器設定制御装置を備え、
前記ネットワーク機器は、該ネットワーク機器固有のアドレスを前記ネットワーク機器設定制御装置へ通知する固有アドレス通知手段を備え、
前記ネットワーク機器設定制御装置の回線設定手段は、
前記ネットワーク機器固有のアドレスに対応する回線設定情報を格納するアドレス対応テーブルと、
前記ネットワーク機器から通知される固有アドレスが前記アドレス対応テーブルにあるか否かを検索する検索手段と、
前記検索の結果、前記アドレス対応テーブルに前記固有アドレスがない場合に、前記ネットワーク機器との間の回線設定に必要となるコンフィギュレーション設定情報を前記ネットワーク機器に転送するオートコンフィギュレーション設定手段とを備えることを特徴とするネットワーク機器管理システム。
【請求項２】
請求項１記載のネットワーク機器管理システムにおいて、
前記アドレス対応テーブルは、前記ネットワークへの前記ネットワーク機器の連結状態を示すトポロジ情報を保持し、
前記オートコンフィギュレーション設定手段は、前記トポロジ情報に基づいて、回線設定アドレスを決定する回線設定アドレス生成手段と、
前記決定した回線設定アドレスを前記コンフィギュレーション設定情報として新たにネットワークに接続されるネットワーク機器に対して通知する第一の回線設定アドレス通知手段とを備えることを特徴とするネットワーク機器管理システム。
【請求項３】
請求項１記載のネットワーク機器管理システムにおいて、
前記アドレス対応テーブルは、前記ネットワークへの前記ネットワーク機器の連結状態を示すトポロジ情報を保持し、前記トポロジ情報に基づいて、割り当て可能な回線設定アドレスを求めて格納する回線設定アドレス格納手段を備え、
前記オートコンフィギュレーション設定手段は、前記回線設定アドレス格納手段より割り当て可能な回線設定アドレスを決定し、決定した回線設定アドレスを前記コンフィギュレーション設定情報として新たにネットワークに接続されるネットワーク機器に対して通知する第二の回線設定アドレス通知手段を備えることを特徴とするネットワーク機器管理システム
【請求項４】
請求項１乃至３いずれか記載のネットワーク機器管理システムにおいて、
前記オートコンフィギュレーション設定手段は、回線設定アドレスを、新たにネットワークに接続されるネットワーク機器に対して通知する前に、該ネットワーク機器の認証を行なう認証手段を備えることを特徴とするネットワーク機器管理システム。
【請求項５】
請求項１乃至４いずれか記載のネットワーク機器管理システムにおいて、
前記ネットワーク機器は、前記ネットワークとの接続・非接続状態を示す接続情報を前記ネットワーク機器設定制御装置に通知する接続状態情報通知手段を備え、
前記ネットワーク機器設定制御装置は、前記ネットワーク機器から接続状態を示す情報を受け取ったときに、該ネットワーク機器に対して固有アドレスの通知を要求する固有アドレス通知要求手段と、
前記ネットワーク機器から非接続状態を示す情報を受け取ったときに、該ネットワーク機器に対応する回線設定情報を前記アドレス対応テーブルから削除するデータ削除手段とを備えることを特徴とするネットワーク機器管理システム。
【請求項６】
請求項２又は３記載のネットワーク機器管理システムにおいて、
前記ネットワーク機器設定制御装置は、前記第一の回線設定アドレス通知手段又は第二の回線設定アドレス通知手段により、新たに接続されたネットワーク機器に対する回線設定アドレスを通知した後、該ネットワーク機器に対して試験信号を送信する試験信号送信手段を備え、
前記ネットワーク機器は、前記試験信号の受信信号レベルを測定して前記ネットワーク機器設定制御装置に通知する第一の受信レベル測定・通知手段を備え、前記ネットワーク機器設定制御装置は、前記受信信号レベルに基づいて、該ネットワーク機器設定制御装置から前記ネットワーク機器までの伝送路の伝送損失を推定する伝送損失推定手段と、
前記伝送損失を考慮して前記ネットワーク機器の送信電力を設定する第一の送信電力設定手段とを備えたことを特徴とするネットワーク機器管理システム。
【請求項７】
請求項６記載のネットワーク機器管理システムにおいて、
前記ネットワーク機器設定制御装置は、既にネットワークに接続されている他のネットワーク機器から新たに接続されたネットワーク機器に対して試験信号を送信させる試験信号送信指示手段を備え、
前記ネットワーク機器は、前記試験信号の受信信号レベルを測定して前記ネットワーク機器設定制御装置に通知する第二の受信レベル測定・通知手段を備え、
前記ネットワーク機器設定制御装置は、前記受信信号レベルに基づいて、前記他のネットワーク機器からの干渉電力を推定する干渉電力推定手段と、
前記干渉電力を考慮して前記ネットワーク機器の送信電力を設定する第二の送信電力設定手段と、
前記伝送損失及び前記干渉電力を考慮して前記ネットワーク機器の送信電力を設定する第三の送信電力設定手段とをさらに備えたことを特徴とするネットワーク機器管理システム。
【請求項８】
ネットワークに接続されるネットワーク機器の通信開始に必要な条件を設定するネットワーク機器管理システムにおけるネットワーク機器管理方法において、
前記ネットワーク上に前記ネットワーク機器に対する回線設定を行なうネットワーク機器設定制御装置を備え、
前記ネットワーク機器は、該ネットワーク機器固有のアドレスを前記ネットワーク機器設定制御装置へ通知し、
前記ネットワーク機器設定制御装置は、
前記ネットワーク機器固有のアドレスに対応する回線設定情報をアドレス対応テーブルに格納し、
前記ネットワーク機器から通知される固有アドレスが前記アドレス対応テーブルにあるか否かを検索し、
前記検索の結果、前記アドレス対応テーブルに前記固有アドレスがない場合に、前記ネットワーク機器との間の回線設定に必要となるコンフィギュレーション設定情報を前記ネットワーク機器に転送することを特徴とするネットワーク機器管理方法。
【請求項９】
ネットワークに接続されるネットワーク機器に対する回線設定を行なうネットワーク機器設定制御装置であって、
前記ネットワーク機器固有のアドレスに対応する回線設定情報を格納するアドレス対応テーブルと、
前記ネットワーク機器から通知される固有アドレスが前記アドレス対応テーブルにあるか否かを検索する検索手段と、
前記検索の結果、前記アドレス対応テーブルに前記固有アドレスがない場合に、前記ネットワーク機器との間の回線設定に必要となるコンフィギュレーション設定情報を前記ネットワーク機器に転送するオートコンフィギュレーション設定手段とを備えることを特徴とするネットワーク機器設定制御装置。
【請求項１０】
請求項９記載のネットワーク機器設定制御装置であって、
前記アドレス対応テーブルは、前記ネットワークへの前記ネットワーク機器の連結状態を示すトポロジ情報を保持し、
前記オートコンフィギュレーション設定手段は、前記トポロジ情報に基づいて、回線設定アドレスを決定する回線設定アドレス生成手段と、
前記決定した回線設定アドレスを前記コンフィギュレーション設定情報として新たにネットワークに接続されるネットワーク機器に対して通知する第一の回線設定アドレス通知手段とを備えることを特徴とするネットワーク機器設定制御装置。
【請求項１１】
請求項９又は１０記載のネットワーク機器設定制御装置であって、
前記アドレス対応テーブルは、前記ネットワークへの前記ネットワーク機器の連結状態を示すトポロジ情報を保持し、前記トポロジ情報に基づいて、割り当て可能な回線設定アドレスを求めて格納する回線設定アドレス格納手段を備え、
前記オートコンフィギュレーション設定手段は、前記回線設定アドレス格納手段より割り当て可能な回線設定アドレスを決定し、決定した回線設定アドレスを前記コンフィギュレーション設定情報として新たにネットワークに接続されるネットワーク機器に対して通知する第二の回線設定アドレス通知手段を備えることを特徴とするネットワーク機器設定制御装置。
【請求項１２】
請求項９乃至１１いずれか記載のネットワーク機器設定制御装置であって、
前記オートコンフィギュレーション設定手段は、回線設定アドレスを、新たにネットワークに接続されるネットワーク機器に対して通知する前に、該ネットワーク機器の認証を行なう認証手段を備えることを特徴とするネットワーク機器設定制御装置。
【請求項１３】
請求項９乃至１２いずれか記載のネットワーク機器設定制御装置であって、
前記ネットワーク機器から接続状態を示す情報を受け取ったときに、該ネットワーク機器に対して固有アドレスの通知を要求する固有アドレス通知要求手段と、
前記ネットワーク機器から非接続状態を示す情報を受け取ったときに、該ネットワーク機器に対応する回線設定情報を前記アドレス対応テーブルから削除するデータ削除手段とを備えることを特徴とするネットワーク機器設定制御装置。
【請求項１４】
請求項９乃至１２いずれか記載のネットワーク機器設定制御装置であって、
前記自動設定手段により、前記第一の回線設定アドレス通知手段又は第二の回線設定アドレス通知手段により、新たに接続されたネットワーク機器に対する回線設定アドレスを通知した後、該ネットワーク機器に対して試験信号を送信する試験信号送信手段と、
既にネットワークに接続されている他のネットワーク機器から新たに接続されたネットワーク機器に対して試験信号を送信させる試験信号送信指示手段と、
前記試験信号送信手段により送信された信号の受信信号レベルの情報を前記新たに接続されたネットワーク機器から受信したときに、前記受信信号レベルに基づいて、該ネットワーク機器設定制御装置から前記ネットワーク機器までの伝送路の伝送損失を推定する伝送損失推定手段と、
前記伝送損失を考慮して前記ネットワーク機器の送信電力を設定する第一の送信電力設定手段と、
前記試験信号送信指示手段により送信された他のネットワーク機器から信号の受信信号レベルの情報を前記新たに接続されたネットワーク機器から受信したときに、前記受信信号レベルに基づいて、他のネットワーク機器からの干渉電力を推定する干渉電力推定手段と、
前記干渉電力を考慮して前記ネットワーク機器の送信電力を設定する第二の送信電力設定手段と、
前記伝送損失及び前記干渉電力を考慮して前記ネットワーク機器の送信電力を設定する第三の送信電力設定手段とを備えることを特徴とするネットワーク機器設定制御装置。
【請求項１５】
ネットワークに接続されるネットワーク機器であって、
ネットワーク機器固有のアドレスを前記ネットワーク機器設定制御装置へ通知する固有アドレス通知手段と、
前記ネットワークとの接続・非接続状態を示す接続情報を前記ネットワーク機器設定制御装置に通知する接続状態情報通知手段と、
自身に対して回線設定を行なうネットワーク機器設定制御装置から送信される試験信号の受信信号レベルを測定して該ネットワーク機器設定制御装置に通知する第一の受信レベル測定・通知手段と、
既に前記ネットワークに接続されている他のネットワーク機器から送信される試験信号の受信信号レベルを測定して前記ネットワーク機器設定制御装置に通知する第二の受信レベル測定・通知手段とを備えることを特徴とするネットワーク機器。
【発明の詳細な説明】
【０００１】
【発明の属する技術分野】
本発明は、ネットワーク機器管理システム及びその方法に係り、詳しくは、ネットワーク機器のプラグ＆プレイ機能を実現するネットワーク機器管理システム及びその方法に関する。
【０００２】
また、本発明は、そのようなネットワーク機器管理システムで用いられるネットワーク制御装置、ネットワーク機器に関する。
【０００３】
【従来の技術】
デバイスを接続すればＰＣ（パーソナルコンピュータ）が自動的にデバイスの存在を検出し、必要なソフトウェアを読み込んで使用可能となる、いわゆるプラグ＆プレイ（プラグ（コードの差し込み）を入れれば、すぐにプレイできる（使える）という意味）という機能がある。
【０００４】
例えば、ＰＣ等のネットワーク機器のプラグ＆プレイは、ルータのイーサネット（登録商標）（Ｅｔｈｅｒｎｅｔ（登録商標））におけるＡＲＰ（ＡＲＰ：Ａｄｄｒｅｓｓ  Ｒｅｓｏｌｕｔｉｏｎ  Ｐｒｏｔｏｃｏｌ、同一ネットワーク上のホストを探す／確認する為のプロトコルであってＩＰアドレスからＭＡＣアドレスへの変換を行なうためのプロトコルをいう）機能に見られるように、イーサネット（登録商標）のみに適用される。
【０００５】
また、所望の接続機器を、アダプタを介してネットワーク接続する際に、該接続機器をネットワーク上で正常に動作させるために設定すべき適正な各種設定値をサーバから取得して自動設定することにより、アダプタに対するユーザによる個別的な設定負担を軽減することのできる技術もある（例えば、特許文献１参照）。
【０００６】
【特許文献１】
特開２０００−２５９５３８号公報
【０００７】
【発明が解決しようとする課題】
上述したプラグ＆プレイ機能は、イーサネット（登録商標）のみに適用され、例えば、ＡＴＭ等のイーサネット（登録商標）とは別の伝送方式と併用したときには適用できないといった問題がある。
【０００８】
また、ルータとネットワーク機器の伝送損失はルータでは考慮されていない。そのため、ルータから送信される電力値が必ずしも最適化されたものであるとはいえない。
【０００９】
さらに、対象となるネットワーク機器は、ＰＣ等の端末に限定されており、移動通信で用いられる基地局、あるいは無線ＬＡＮで用いられるアクセスポイントといった機器には対応していない。
本発明は、上記のような問題点に鑑みてなされたもので、その課題とするところは、複数のネットワークインターフェースに対してプラグ＆プレイを実現し、かつネットワーク機器の管理のコストを軽減できるネットワーク機器管理システム及びその方法を提供することである。
【００１０】
また、そのようなネットワーク機器管理システムで用いられるネットワーク機器設定制御装置、ネットワーク機器を提供することである。
【００１１】
【課題を解決するための手段】
上記課題を解決するため、本発明は、請求項１に記載されるように、ネットワークに接続されるネットワーク機器の通信開始に必要な条件を設定するネットワーク機器管理システムにおいて、前記ネットワーク上に前記ネットワーク機器に対する回線設定を行なう回線設定手段を有するネットワーク機器設定制御装置を備え、前記ネットワーク機器は、該ネットワーク機器固有のアドレスを前記ネットワーク機器設定制御装置へ通知する固有アドレス通知手段を備え、前記ネットワーク機器設定制御装置の回線設定手段は、前記ネットワーク機器固有のアドレスに対応する回線設定情報を格納するアドレス対応テーブルと、前記ネットワーク機器から通知される固有アドレスが前記アドレス対応テーブルにあるか否かを検索する検索手段と、前記検索の結果、前記アドレス対応テーブルに前記固有アドレスがない場合に、前記ネットワーク機器との間の回線設定に必要となるコンフィギュレーション設定情報を前記ネットワーク機器に転送するオートコンフィギュレーション設定手段とを備えることを特徴としている。
【００１２】
また、本発明の請求項２は、前記ネットワーク機器管理システムにおいて、前記アドレス対応テーブルは、前記ネットワークへの前記ネットワーク機器の連結状態を示すトポロジ情報を保持し、前記オートコンフィギュレーション設定手段は、前記トポロジ情報に基づいて、回線設定アドレスを決定する回線設定アドレス生成手段と、前記決定した回線設定アドレスを前記コンフィギュレーション設定情報として新たにネットワークに接続されるネットワーク機器に対して通知する第一の回線設定アドレス通知手段とを備えることを特徴としている。
【００１３】
また、本発明の請求項３は、前記ネットワーク機器管理システムにおいて、前記アドレス対応テーブルは、前記ネットワークへの前記ネットワーク機器の連結状態を示すトポロジ情報を保持し、前記トポロジ情報に基づいて、割り当て可能な回線設定アドレスを求めて格納する回線設定アドレス格納手段を備え、前記オートコンフィギュレーション設定手段は、前記回線設定アドレス格納手段より割り当て可能な回線設定アドレスを決定し、決定した回線設定アドレスを前記コンフィギュレーション設定情報として新たにネットワークに接続されるネットワーク機器に対して通知する第二の回線設定アドレス通知手段を備えることを特徴としている。
【００１４】
また、本発明の請求項４は、前記ネットワーク機器管理システムにおいて、前記オートコンフィギュレーション設定手段は、回線設定アドレスを、新たにネットワークに接続されるネットワーク機器に対して通知する前に、該ネットワーク機器の認証を行なう認証手段を備えることを特徴としている。
【００１５】
また、本発明の請求項５は、前記ネットワーク機器管理システムにおいて、前記ネットワーク機器は、前記ネットワークとの接続・非接続状態を示す接続情報を前記ネットワーク機器設定制御装置に通知する接続状態情報通知手段を備え、前記ネットワーク機器設定制御装置は、前記ネットワーク機器から接続状態を示す情報を受け取ったときに、該ネットワーク機器に対して固有アドレスの通知を要求する固有アドレス通知要求手段と、前記ネットワーク機器から非接続状態を示す情報を受け取ったときに、該ネットワーク機器に対応する回線設定情報を前記アドレス対応テーブルから削除するデータ削除手段とを備えることを特徴としている。
【００１６】
また、本発明の請求項６は、前記ネットワーク機器管理システムにおいて、前記ネットワーク機器設定制御装置は、前記第一の回線設定アドレス通知手段又は第二の回線設定アドレス通知手段により、新たに接続されたネットワーク機器に対する回線設定アドレスを通知した後、該ネットワーク機器に対して試験信号を送信する試験信号送信手段を備え、前記ネットワーク機器は、前記試験信号の受信信号レベルを測定して前記ネットワーク機器設定制御装置に通知する第一の受信レベル測定・通知手段を備え、前記ネットワーク機器設定制御装置は、前記受信信号レベルに基づいて、該ネットワーク機器設定制御装置から前記ネットワーク機器までの伝送路の伝送損失を推定する伝送損失推定手段と、前記伝送損失を考慮して前記ネットワーク機器の送信電力を設定する第一の送信電力設定手段とを備えたことを特徴としている。
【００１７】
また、本発明の請求項７は、前記ネットワーク機器管理システムにおいて、前記ネットワーク機器設定制御装置は、既にネットワークに接続されている他のネットワーク機器から新たに接続されたネットワーク機器に対して試験信号を送信させる試験信号送信指示手段を備え、前記ネットワーク機器は、前記試験信号の受信信号レベルを測定して前記ネットワーク機器設定制御装置に通知する第二の受信レベル測定・通知手段を備え、前記ネットワーク機器設定制御装置は、前記受信信号レベルに基づいて、前記他のネットワーク機器からの干渉電力を推定する干渉電力推定手段と、前記干渉電力を考慮して前記ネットワーク機器の送信電力を設定する第二の送信電力設定手段と、前記伝送損失及び前記干渉電力を考慮して前記ネットワーク機器の送信電力を設定する第三の送信電力設定手段とをさらに備えたことを特徴としている。
【００１８】
上記本発明によれば、ネットワークに接続されたネットワーク機器から通知される固有アドレスが、予め保持されているアドレス対応テーブルになければ、ネットワーク機器設定制御装置は、そのネットワーク機器を新設のＮＥとして判断する。そして、そのネットワーク機器に対して自動的に新しい回線設定アドレスを生成して通知する。これにより、人手を介して行なっていた回線設定作業を行なわなくても自動的に新設のネットワーク機器の回線設定を完了させることができる。すなわち、新設ネットワーク機器に対するプラグ＆プレイが可能になり、ネットワーク機器の管理コストを大幅に低減することができる。
【００１９】
【発明の実施の形態】
以下、本発明の実施の形態を図面に基づいて説明する。
【００２０】
図１は、本発明の実施の一形態に係るネットワーク機器管理システムの構成図である。
【００２１】
図１において、このネットワーク機器管理システムは、ユーザ端末（例：移動端末、以下、端末と略記）と無線通信を行なうネットワーク機器（例：基地局、アクセスポイント等）を備えた無線システムＡ１００〜Ｃ３００と、上記ネットワーク機器（以下、ＮＥ（Ｎｅｔｗｏｒｋ  Ｅｑｕｉｐｍｅｎｔ）と略記する）の接続状況を管理する自動設定・削除装置１０から構成される。
【００２２】
上記自動設定・削除装置１０には、各ＮＥ毎の回線設定情報を格納するアドレス対応テーブル１５が備えられる。また、無線システムＡ１００、Ｂ２００、Ｃ３００は、各々無線伝送方式の異なる無線システムであり、例えば、ＩＭＴ−２０００標準規格に準拠したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を採用する無線システムを無線システムＡ１００、ＷＣＤＭＡ方式の拡張版であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式を採用する無線システムを無線システムＢ２００、ＩＥＥＥ８０２．１１の標準規格に準拠した無線ＬＡＮ方式を採用する無線システムを無線システムＣ３００と、本例では定義する。
【００２３】
このように無線システムＡ〜Ｃは異なる無線システムである。異なる無線システムに属する端末同士は通常ルータを介さないと通信を行なうことができない。本例では、自動設定・削除装置１０がルータに内蔵されているものとし、無線システムを跨ぐ端末間通信の場合の経路設定もこのルータにて行なわれるものと仮定する。
【００２４】
上記無線システムＡ１００には、ＮＥ１０１〜１０３が、無線システムＢ２００には、ＮＥ２０１〜２０３が、無線システムＣ３００には、ＮＥ３０１〜３０２が備えられる。なお、無線システムＣ３００のＮＥ３０３はネットワークに新たに接続（点線部）する新設のＮＥである。
【００２５】
また、各無線システムＡ１００〜Ｃ３００には、端末がどの無線システムＡ１００〜Ｃ３００に属すかを見いだすためのサブネットマスク、すなわちネットワークプレフィックス（［２５５．２５５．２５５．０］〜［２５５．２５５．２５５．３］）が付与されている。
【００２６】
上記自動設定・削除装置は、例えば、図２に示すように構成される。図２は、自動設定・削除装置１０の機能構成図である。
【００２７】
同図において、この自動設定・削除装置１０は、ＮＥに対する回線インターフェース（Ｉ／Ｆ）機能１１と、ネットワーク側に対するネットワークインターフェース（Ｉ／Ｆ）機能１２と、アドレス対応テーブル１５を備える。
【００２８】
次に、ＮＥについて説明するが、以下では、無線システムＣ３００に収容される新設のＮＥ３０３を例にとり説明する。
【００２９】
上記ＮＥ３０３は、例えば、図３に示すように構成される。図３は、ＮＥ３０３の機能構成図である。
【００３０】
同図において、このＮＥ３０３は、端末に対するインターフェース（Ｉ／Ｆ）機能２１と、自動設定・削除装置１０に対する回線インターフェース（Ｉ／Ｆ）２２機能を備える。
【００３１】
以上のように構成されたネットワーク機器管理システムの動作を、図４を用いて説明する。図４は、自動設定・削除装置１０が新設ＮＥ３０３に対して回線設定を行なう場合のシーケンス図である。
【００３２】
同図において、新設ＮＥ３０３がまずネットワークに接続（ＮＥのケーブルをネットワークに接続）されると、新設ＮＥ３０３はネットワークに接続されたことを自動的に検知し、自身の固有アドレスを自動設定・削除装置１０に通知（Ｓ１）する。この固有アドレスは、自身を一意に識別するための固有ＩＤであり、例えば、製造番号や予め事業者などによって割り振られた番号などである。自動設定・削除装置１０は、新設ＮＥ３０３から通知された固有アドレスを受信すると、アドレス対応テーブル１５を参照して、その新設ＮＥ３０３の固有アドレスが該アドレス対応テーブル１５にあるかどうかを検索（Ｓ２）する。
【００３３】
図５は、上記アドレス対応テーブル１５の構造の一例を示す図であり、各ＮＥ毎（ＮＥ＃１〜ＮＥ＃ｎ）に「固有アドレス」、「インターフェース番号」、「回線番号」のフィールドが設けられ、それらの情報がトポロジ構造を用いて記述され、
保持されている。
【００３４】
自動設定・削除装置１０は、上記アドレス対応テーブル１５の「固有アドレス」のフィールドを検索し、該固有アドレスが該アドレス対応テーブル１５の「固有アドレス」フィールドにあればそのまま処理を終了（新設ＮＥでないとみなす）する。一方、上記固有アドレスが上記アドレス対応テーブル１５の「固有アドレス」フィールドになければその新設ＮＥ３０３に対する認証要求を通知（Ｓ３）する。新設ＮＥ３０３では、所定の認証アルゴリズムに従った認証が行なわれ、認証の結果が認証応答として自動設定・削除装置１０に通知（Ｓ４）される。自動設定・削除装置１０は、上記認証応答から新設ＮＥ３０３の正当性を確認すると、該新設ＮＥ３０３との間の回線設定に必要な新しい回線設定アドレスをアドレス対応テーブル１５に含まれるトポロジに関する情報を利用して生成し、その生成した回線設定アドレスを新設ＮＥ３０３に付与（Ｓ５）し、そして通知する（Ｓ６）。その際、自動設定・削除装置１０は、自身のネットワークインターフェース機能１２に対する新しい回線用のブリッジ設定を行なう。
【００３５】
図６は、新設ＮＥ３０３側の回線インターフェース機能２２がＡＴＭ伝送路インターフェースであった場合の自動設定・削除装置１０での回線設定アドレス自動付与及びブリッジ設定の一例を示す図である。
【００３６】
自動設定・削除装置１０は新設ＮＥ３０３からの固有アドレスを受け取ると、該新設ＮＥ３０３に対してレイヤ２（データリンク層）のアドレス内容を自動設定する（下記（１）参照）。
【００３７】
ＡＴＭ伝送では、ＩＰパケットはＡＡＬ５を使ってセル化され、固定接続（ＰＶＣ）の仮想コネクションを通して転送される。したがって、設定されるレイヤ２アドレスの内容は、例えば、
（１）レイヤ２アドレス内容
ＡＡＬ５設定
ＰＶＣ設定
ＶＰＩ＝０
ＶＣＩ＝１
となる。
【００３８】
また、この際、自動設定・削除装置１０は、自身のブリッジ設定を自動で行なう（下記（２）参照）。
【００３９】
（２）自動ブリッジ設定内容
ＶＰＩ＝０
ＶＣＩ＝１
ネットワークインターフェース機能１２には、例えば、
ＩＰアドレス：１０．１０．８８．１
ネットワークプレフィックス：２５５．２５５．２５５．２４８
ＭＡＣアドレス：００．００．０ｃ．８３．０６．８０
が設定される。
【００４０】
新設ＮＥ３０３は、上記のようにして自動設定・削除装置１０から通知された回線設定アドレスを保持（Ｓ７）した後、保持完了を示す応答（ＡＣＫ）を自動設定・削除装置１０に送信（Ｓ８）する。そして、自動設定・削除装置１０にて上記ＡＣＫが受信されると、新設ＮＥ３０３との間で通信が開始（Ｓ９）される。
【００４１】
上記実施例では、自動設定・削除装置１０に収容される新設ＮＥ３０３の伝送路インターフェースがＡＴＭである場合を一例にとり説明したが、無線システム毎に伝送路インターフェースが異なっていても（複数の伝送路インターフェース（ＡＴＭの他にＳＴＭ、イーサネット（登録商標）等）がある場合）、アドレス対応テーブル１５にて自動設定・削除装置１０に収容する固有アドレス、インターフェース番号、回線番号を一括管理することで、伝送路インターフェース毎にＮＥに対する自動回線設定が可能である。
【００４２】
上述したように本実施例によれば、ネットワークに接続されたＮＥから通知される固有アドレスが、予め保持されているアドレス対応テーブルになければ、自動設定・削除装置１０は、そのＮＥを新設のＮＥとして判断する。そして、そのＮＥに対して自動的に新しい回線設定アドレスを生成して通知する。これにより、人手を介して行なっていた回線設定作業を行なわなくても自動的に新設ＮＥの回線設定を完了させることができる。すなわち、新設ＮＥに対するプラグ＆プレイが可能になり、ネットワーク機器の管理コストを大幅に低減することができる。
【００４３】
なお、上記実施例では、新設ＮＥ３０３がネットワークに接続された時点で、固有アドレスが自動設定・削除装置１０に対して通知される場合であったが、新設ＮＥ３０３がネットワークに接続されたことを検知した時点で、一旦、その検知結果を自動設定・削除装置１０に通知し、自動設定・削除装置１０から固有アドレスの要求を出すような形態であってもかまわない。
【００４４】
また、上記実施例は、新設ＮＥ３０３がネットワークに接続された際に、自動設定・削除装置１０がそのＮＥに対して自動的に回線設定アドレスを付与して通信を開始させる場合であったが、既にネットワークに接続されているＮＥがネットワークから外された場合、そのＮＥよりネットワークから外されたことを示す非接続情報の通知が自動設定・削除装置１０になされる。自動設定・削除装置１０は、この非接続情報通知を検知すると、該ＮＥに係る回線設定情報をアドレス対応テーブル１５から削除する。これにより、従来は手動で行なっていた回線設定情報の削除作業が自動的に行なわれるので、ネットワーク機器の管理コストを低減することができる。
【００４５】
また、上記実施例は、前記アドレス対応テーブルで保持されるトポロジ情報に基づいて新設ＮＥ３０３に割り当てる回線設定アドレスを決定するという場合であったが、本発明はこれに限定されるものではない。例えば、アドレス対応テーブルがトポロジ情報に基づいて予め割り当て可能な回線設定アドレスを求めて格納し、自動設定・削除装置１０からその回線設定アドレスを読み出すような形態であってもよい。
【００４６】
自動設定・削除装置１０は、上記のようにして新設ＮＥ３０３に対する回線設定を完了すると、新設ＮＥ３０３の端末インターフェース機能２１に対して、送信電力値を自動設定する。この送信電力値の自動設定処理は、例えば、図７に示すシーケンスに従って行なわれる。
【００４７】
（新設ＮＥ３０３の送信電力値設定）
図７において、自動設定・削除装置１０は、通信中の各ＮＥ（新しくネットワークに接続されたＮＥは含まない）に対して、一斉にバースト試験信号を送信（Ｓ１１）する（宛先アドレスはＮＥの端末インターフェース（ただし、端末が存在しなくても、ＮＥが端末インターフェースに向けて送信できる報知用チャネル等を使用））。通信中の各ＮＥ機器は、自動設定・削除装置１０からの試験信号を、報知チャネル等を用いて新設ＮＥ３０３に送信（Ｓ１２）する。新設ＮＥ３０３は、各ＮＥから送信される試験信号の受信電力値Ａ（各ＮＥからの合計値）を自動設定・削除装置１０に通知（Ｓ１３）する。自動設定・削除装置１０は、新設ＮＥ３０３から受信電力値Ａの通知を受けると、その受信電力値Ａを保持（Ｓ１４）し、新設ＮＥ３０３に対して試験信号を再び送信（Ｓ１５）する。その際、自身が送信した試験信号の送信電力値Ｂを保持（Ｓ１６）する。新設ＮＥ３０３は、受信した試験信号の受信電力値Ｃを自動設定・削除装置１０に通知（Ｓ１７）する。
【００４８】
自動設定・削除装置１０は、新設ＮＥ３０３から通知された上記受信電力値Ｃを保持（Ｓ１８）し、保持している受信電力値Ａ、送信電力値Ｂ、受信電力値Ｃから新設ＮＥ３０３の端末インターフェース機能２１の最適な送信電力、すなわち、新設ＮＥ３０３が基地局であれば基地局のアンテナから送信される送信電力を計算（Ｓ１９）する。具体的には、以下のようにして計算する。
【００４９】
（計算手順１）
まず、送信電力値Ｂ−受信電力値Ｃより新設ＮＥ３０３と自動設定・削除装置１０間の伝送損失を計算する。
【００５０】
（計算手順２）
受信電力値Ａは他のＮＥからの干渉電力とみなせるので、ＣＩＲ（Ｃａｒｒｉｅｒ−Ｉｎｔｅｒｆｅｒｅｎｃｅ  ｐｏｗｅｒ  Ｒａｔｉｏ：  信号電力対干渉電力比）をＤとすると、新設ＮＥ３０３の所望送信電力値Ｅは次式（１）により計算される。
【００５１】
Ｅ＝Ａ×Ｄ＋Ｂ−Ｃ  （１）
自動設定・削除装置１０は上記式（１）により新設ＮＥ３０３の所望送信電力値Ｅの計算を終えると、計算結果を新設ＮＥ３０３に対して通知（Ｓ２０）し、新設ＮＥ３０３に対し送信電力の設定を行なわせる。
【００５２】
上述したように本実施例によれば、自動設定・削除装置１０は、新設ＮＥ３０３と自身間の伝送損失を考慮しつつ、かつ新設ＮＥ３０３が被る干渉電力を考慮して該新設ＮＥ３０３の送信電力を決定する。これにより、従来は手動で行なっていた回線設定後のＮＥの送信電力設定を、より的確、かつ自動で行なうことが可能となる。
【００５３】
また、上記実施例では、アクセスルータに上記自動設定・削除装置１０が内蔵される場合であったが、本発明はこれに限定されるものではない。例えば、上記自動設定・削除装置１０をサーバとして構成し、ネットワーク上の任意のノードに設けるような形態であってもよい。
【００５４】
以上、説明してきたように、本実施例によれば、自動設定・削除装置１０をネットワーク上に設けることにより、従来の手動作業で行われていた新設ＮＥに対する回線設定あるいは回線設定情報の削除の作業が自動化され、手動作業にかかっていた費用を削減することができる。
【００５５】
上記例において、請求項１記載のネットワーク機器設定制御装置が自動設定・削除装置１０に対応する。自動設定・削除装置１０の機能が回線設定手段、検索手段、オートコンフィギュレーション設定手段、回線設定アドレス生成手段、第一の回線設定アドレス通知手段、第二の回線設定アドレス通知手段、固有アドレス通知要求手段、データ削除手段、試験信号送信手段、伝送損失推定手段、試験信号送信指示手段、干渉電力推定手段、第一〜第三の送信電力設定手段に対応する。また、自動設定・削除装置１０のアドレス対応テーブル１５がアドレス対応テーブルに対応し、該アドレス対応テーブル１５の機能が回線設定アドレス生成手段に対応する。さらに、ＮＥの機能が固有アドレス通知手段、接続状態情報通知手段、第一の受信レベル測定・通知手段、第二の受信レベル測定・通知手段に対応する。
【００５６】
【発明の効果】
以上、説明したように、本願発明によれば、ネットワークに接続されたＮＥから通知される固有アドレスが、予め保持されているアドレス対応テーブルになければ、自動設定・削除装置は、そのＮＥを新設のＮＥとして判断する。そして、そのＮＥに対して自動的に新しい回線設定アドレスを生成して通知する。これにより、人手を介して行なっていた回線設定作業を行なわなくても自動的に新設ＮＥの回線設定を完了させることができる。すなわち、新設ＮＥに対するプラグ＆プレイが可能になり、ネットワーク機器の管理コストを大幅に低減することができる。
【００５７】
【図面の簡単な説明】
【図１】本発明の実施の一形態に係るネットワーク機器管理システムの構成図である。
【図２】図１に示す自動設定・削除装置の機能構成図である。
【図３】図１に示すＮＥの機能構成図である。
【図４】自動設定・削除装置が新設ＮＥに対して回線設定を行なう場合のシーケンス図である。
【図５】アドレス対応テーブルの構造の一例を示す図である。
【図６】新設ＮＥ側の回線インターフェース機能がＡＴＭ伝送路インターフェースであった場合の自動設定・削除装置での回線設定アドレス自動付与及びブリッジ設定の一例を示す図である。
【図７】新設ＮＥの端末インターフェース機能に対して送信電力値を自動設定する際のシーケンス図である。
【符号の説明】
１０  自動設定・削除装置
１１  回線インターフェース機能
１２  ネットワークインターフェース機能
１５  アドレス対応テーブル
２１  端末インターフェース機能
２２  回線インターフェース機能
１００  無線システムＡ
１０１〜１０３、２０１〜２０３、３０１〜３０３  ネットワーク機器（ＮＥ）
２００  無線システムＢ
３００  無線システムＣ
【図１】
2004260445.tif 000003
【図２】
2004260445.tif 000004
【図３】
2004260445.tif 000005
【図４】
2004260445.tif 000006
【図５】
2004260445.tif 000007
【図６】
2004260445.tif 000008
【図７】
2004260445.tif 000009